(57)【要約】【課題】不正コピーを伴うことなく追記型の光ディスクに記録されているコンテンツを光ディスク以外の情報記録媒体に移動する。【解決手段】ＤＶＤに記録されている対象コンテンツを大きさが１ＥＣＣブロックの複数のブロックに分割し、ブロック単位でハードディスクに書き込む（ステップ４０７）とともに、１ブロックの書込みが終了する度に、ハードディスクに書き込まれたブロックに対応するＤＶＤの記録領域を所定のデータで上書きする（ステップ４１５）。これにより、ＤＶＤに記録されている対象コンテンツは再生不可能となり、対象コンテンツがコピーワンス・コンテンツであっても、その規約に反することなく、ＤＶＤからハードディスクに移動することができる。【選択図】図７
2005339600.tif 000002
【特許請求の範囲】
【請求項１】
追記型の光ディスクに対する情報の記録及び再生を行なう光ディスク装置と；
前記光ディスクに記録されているコンテンツを、光ディスク以外の情報記録媒体に書き込んだ後、前記光ディスクに所定の情報を前記光ディスク装置を介して書き込み、前記光ディスクからの前記コンテンツの再生を不可能とする処理装置と；を備える情報記録装置。
【請求項２】
前記処理装置は、前記コンテンツの実体を削除せずに、前記コンテンツが削除されたことを示す情報を前記光ディスク装置を介して前記光ディスクに書き込むことにより、前記コンテンツの再生を不可能とすることを特徴とする請求項１に記載の情報記録装置。
【請求項３】
前記処理装置は、前記コンテンツの再生を不可能とした後、前記コンテンツの前記光ディスクへの記録要求があると、前記コンテンツが復活したことを示す情報を前記光ディスク装置を介して前記光ディスクに書き込むことを特徴とする請求項２に記載の情報記録装置。
【請求項４】
前記処理装置は、前記光ディスクにおける前記コンテンツが記録されている領域の少なくとも一部に所定のデータを前記光ディスク装置を介して上書きすることにより、前記コンテンツの再生を不可能とすることを特徴とする請求項１に記載の情報記録装置。
【請求項５】
前記処理装置は、更に前記コンテンツが記録されている領域が上書きされていることを示す情報を前記光ディスク装置を介して前記光ディスクに書き込むことを特徴とする請求項４に記載の情報記録装置。
【請求項６】
前記処理装置は、前記コンテンツの全てが正常に前記光ディスク以外の情報記録媒体に書き込まれた後に、前記所定のデータを前記光ディスク装置を介して上書きすることを特徴とする請求項４又は５に記載の情報記録装置。
【請求項７】
前記処理装置は、前記コンテンツを所定の大きさの複数のブロックに分割して前記光ディスク以外の情報記録媒体に書き込むとともに、前記光ディスク以外の情報記録媒体への１ブロックの書込みが正常に終了する度に、前記光ディスク以外の情報記録媒体に書き込まれたブロックが記録されている前記光ディスクの領域に前記所定のデータを前記光ディスク装置を介して上書きすることを特徴とする請求項４又は５に記載の情報記録装置。
【請求項８】
前記処理装置は、前記コンテンツの移動が終了すると、前記光ディスクにおける前記コンテンツが記録されていた領域を前記光ディスク装置を介して再生し、再生エラーでない場合に、前記領域に再度、前記所定のデータを前記光ディスク装置を介して上書きすることを特徴とする請求項４〜７のいずれか一項に記載の情報記録装置。
【請求項９】
情報記録装置に用いられるプログラムであって、
追記型の光ディスクに記録されているコンテンツを、光ディスク以外の情報記録媒体に書き込む手順と；
前記書き込む手順に続いて、前記光ディスクに所定の情報を書き込んで前記光ディスクからの前記コンテンツの再生を不可能とする手順と；を前記情報記録装置の制御用コンピュータに実行させるプログラム。
【請求項１０】
請求項９に記載のプログラムが記録されたコンピュータ読み取り可能な記録媒体。
【発明の詳細な説明】
【技術分野】
【０００１】
本発明は、情報記録装置、プログラム及び記録媒体に係り、更に詳しくは、追記型の光ディスクから光ディスク以外の情報記録媒体へのコンテンツの移動に好適な情報記録装置、情報記録装置で用いられるプログラム及び該プログラムが記録された記録媒体に関する。
【背景技術】
【０００２】
近年、衛星放送やケーブルテレビなどを介して提供されるコンテンツを、記録容量の大きな情報記録媒体としてＤＶＤ（digital versatile disc）などの光ディスクに記録するための情報記録装置が一般に普及するようになってきた。
【０００３】
しかしながら、光ディスクに記録される情報はデジタル情報であるため、画質や音質を低下させることなく数多くの複製を作成することが可能であり、コンテンツの提供者に多大な被害を与えるようになった。いわゆる不正コピーである。
【０００４】
そこで、この不正コピーを防止するため一部のコンテンツには、コピーワンス情報、すなわち個人的な利用を考慮して１つの複製物のみの存在を許可することを示す情報が付加されるようになった。そして、これは今後拡大する傾向にある。なお、以下では便宜上、コピーワンスの制限が設けられているコンテンツを「コピーワンス・コンテンツ」ともいう。
【０００５】
ところで、現在、最も一般に用いられている追記型の光ディスクは、太陽光線、キズ、及び汚れなどに起因して後天的に劣化することがある。この場合には、光ディスクが完全に再生エラーとなる前に、その光ディスクの複製を作ることが通常行なわれるが、光ディスクに記録されているコピーワンス・コンテンツは規約上、複製を作ることができないため、コピーワンス・コンテンツの救済はあきらめなければならないという不都合があった。なお、コンテンツの不正コピーや不正使用を防止できる光ディスクや装置（例えば、特許文献１及び特許文献２参照）が種々考案されている。
【０００６】
しかしながら、特許文献１に開示されている光ディスク及び特許文献２に開示されているデータ端末装置は、いずれも一般のユーザが使用するには高価であるという問題があった。
【０００７】
【特許文献１】特開２０００−１６３８８３号公報
【特許文献２】特開２００２−１６３５７７号公報
【発明の開示】
【発明が解決しようとする課題】
【０００８】
本発明は、かかる事情の下になされたもので、その第１の目的は、不正コピーを伴うことなく追記型の光ディスクに記録されているコンテンツを光ディスク以外の情報記録媒体に移動することができる情報記録装置を提供することにある。
【０００９】
また、本発明の第２の目的は、情報記録装置の制御用コンピュータにて実行され、不正コピーを伴うことなく追記型の光ディスクに記録されているコンテンツを光ディスク以外の情報記録媒体に移動することができるプログラム、及びそのプログラムが記録された記録媒体を提供することにある。
【課題を解決するための手段】
【００１０】
請求項１に記載の発明は、追記型の光ディスクに対する情報の記録及び再生を行なう光ディスク装置と；前記光ディスクに記録されているコンテンツを、光ディスク以外の情報記録媒体に書き込んだ後、前記光ディスクに所定の情報を前記光ディスク装置を介して書き込み、前記光ディスクからの前記コンテンツの再生を不可能とする処理装置と；を備える情報記録装置である。
【００１１】
これによれば、処理装置により、追記型の光ディスクに記録されているコンテンツが光ディスク以外の情報記録媒体に書き込まれた後、所定の情報が光ディスク装置を介して光ディスクに書き込まれ、光ディスクからのコンテンツの再生が不可能とされる。すなわち、追記型の光ディスクに記録されているコンテンツは、光ディスク以外の情報記録媒体に移動されたこととなり、例えば「１つの複製物のみの存在が許される」コンテンツであっても、その属性に反することなく、光ディスク以外の情報記録媒体に記録することができる。従って、不正コピーを伴うことなく追記型の光ディスクに記録されているコンテンツを光ディスク以外の情報記録媒体に移動することが可能となる。
【００１２】
この場合において、請求項２に記載の情報記録装置の如く、前記処理装置は、前記コンテンツの実体を削除せずに、前記コンテンツが削除されたことを示す情報を前記光ディスク装置を介して前記光ディスクに書き込むことにより、前記コンテンツの再生を不可能とすることとすることができる。
【００１３】
この場合において、請求項３に記載の情報記録装置の如く、前記処理装置は、前記コンテンツの再生を不可能とした後、前記コンテンツの前記光ディスクへの記録要求があると、前記コンテンツが復活したことを示す情報を前記光ディスク装置を介して前記光ディスクに書き込むこととすることができる。
【００１４】
上記請求項１に記載の情報記録装置において、請求項４に記載の情報記録装置の如く、前記処理装置は、前記光ディスクにおける前記コンテンツが記録されている領域の少なくとも一部に所定のデータを前記光ディスク装置を介して上書きすることにより、前記コンテンツの再生を不可能とすることとすることができる。
【００１５】
この場合において、請求項５に記載の情報記録装置の如く、前記処理装置は、更に前記コンテンツが記録されている領域が上書きされていることを示す情報を前記光ディスク装置を介して前記光ディスクに書き込むこととすることができる。
【００１６】
上記請求項４及び５に記載の各情報記録装置において、請求項６に記載の情報記録装置の如く、前記処理装置は、前記コンテンツの全てが正常に前記光ディスク以外の情報記録媒体に書き込まれた後に、前記所定のデータを前記光ディスク装置を介して上書きすることとすることができる。
【００１７】
上記請求項４及び５に記載の各情報記録装置において、請求項７に記載の情報記録装置の如く、前記処理装置は、前記コンテンツを所定の大きさの複数のブロックに分割して前記光ディスク以外の情報記録媒体に書き込むとともに、前記光ディスク以外の情報記録媒体への１ブロックの書込みが正常に終了する度に、前記光ディスク以外の情報記録媒体に書き込まれたブロックが記録されている前記光ディスクの領域に前記所定のデータを前記光ディスク装置を介して上書きすることとすることができる。
【００１８】
上記請求項４〜７に記載の各情報記録装置において、請求項８に記載の情報記録装置の如く、前記処理装置は、前記コンテンツの移動が終了すると、前記光ディスクにおける前記コンテンツが記録されていた領域を前記光ディスク装置を介して再生し、再生エラーでない場合に、前記領域に再度、前記所定のデータを前記光ディスク装置を介して上書きすることとすることができる。
【００１９】
請求項９に記載の発明は、情報記録装置に用いられるプログラムであって、追記型の光ディスクに記録されているコンテンツを、光ディスク以外の情報記録媒体に書き込む手順と；前記書き込む手順に続いて、前記光ディスクに所定の情報を書き込んで前記光ディスクからの前記コンテンツの再生を不可能とする手順と；を前記情報記録装置の制御用コンピュータに実行させるプログラムである。
【００２０】
これによれば、本発明のプログラムが所定のメモリにロードされ、その先頭アドレスがプログラムカウンタにセットされると、情報記録装置の制御用コンピュータは、追記型の光ディスクに記録されているコンテンツを、光ディスク以外の情報記録媒体に書き込んだ後、光ディスクに所定の情報を書き込んで光ディスクからのコンテンツの再生を不可能とする。すなわち、追記型の光ディスクに記録されているコンテンツは、光ディスク以外の情報記録媒体に移動されたこととなり、例えば「１つの複製物のみの存在が許される」コンテンツであっても、その属性に反することなく、光ディスク以外の情報記録媒体に記録することができる。従って、不正コピーを伴うことなく追記型の光ディスクに記録されているコンテンツを光ディスク以外の情報記録媒体に移動することが可能となる。
【００２１】
請求項１０に記載の発明は、請求項９に記載のプログラムが記録されたコンピュータ読み取り可能な記録媒体である。
【００２２】
これによれば、請求項９に記載のプログラムが記録されているために、コンピュータに実行させることにより、不正コピーを伴うことなく追記型の光ディスクに記録されているコンテンツを光ディスク以外の情報記録媒体に移動することが可能となる。
【発明を実施するための最良の形態】
【００２３】
以下、本発明の一実施形態を図１〜図１０に基づいて説明する。図１には、本発明の一実施形態に係る情報記録装置としてのＤＶＤレコーダ１００の概略構成が示されている。
【００２４】
この図１に示されるＤＶＤレコーダ１００は、ＣＰＵ１０１、ダイナミックＲＡＭ（以下「ＤＲＡＭ」という）１０３、フラッシュＲＯＭ（FLASH−ROM）１０４、バスブリッジ（Bus Bridge）１０６、ドライブインターフェース（Drive IF）１０８、ハードディスク装置１１０、光ディスク装置としてのＤＶＤドライブ装置（DVD Drive）１１２、チューナ（Tuner）１２３、フレームバッファ（Frame Buffer）１２５、ＩＲコントローラ（IR）１２９、ＡＶエンコーダ／デコーダ（AV−Encoder/Decoder）１３１、グラフィックコントローラ（Graphics/OSD）１３３などを備えている。
【００２５】
フラッシュＲＯＭ１０４には、ＣＰＵ１０１にて解読可能なコードで記述された本発明に係るプログラムを含むプログラムが格納されている。
【００２６】
ＣＰＵ１０１は、フラッシュＲＯＭ１０４に格納されているプログラムにしたがって、上記各部を制御する。ＤＲＡＭ１０３は作業用のメモリである。ＣＰＵ１０１は、バスブリッジ１０６を介してＤＲＡＭ１０３及びフラッシュＲＯＭ１０４をアクセスする。
【００２７】
チューナ１２３は、アンテナ２１０を介して放送を受信する。
【００２８】
フレームバッファ１２５は、ディスプレイ（Display(TV)）２００に表示されるデータが格納される。
【００２９】
バスブリッジ１０６は、ＤＭＡコントローラを内蔵しており、各部のメモリ間転送を行なう。
【００３０】
ドライブインターフェース１０８は、ＡＴＡＰＩ（AT Attachment Packet Interface）、ＳＣＳＩ（Small Computer System Interface）及びＵＳＢ（Universal Serial Bus）などの標準インターフェースに準拠している。
【００３１】
ＩＲコントローラ１２９は、赤外線リモコンからのユーザ指示を受信する。
【００３２】
ＡＶエンコーダ／デコーダ１３１は、デジタルの音声や画像を圧縮／伸張する。
【００３３】
グラフィックコントローラ１３３は、ガイド情報などのグラフィックを生成する。
【００３４】
バスブリッジ１０６、ドライブインターフェース１０８、チューナ１２３、フレームバッファ１２５、ＩＲコントローラ１２９、ＡＶエンコーダ／デコーダ１３１、及びグラフィックコントローラ１３３は、バスを介して互いに接続されている。
【００３５】
ドライブインターフェース１０８には、ハードディスク装置１１０と、ＤＶＤドライブ装置１１２とが接続されている。
【００３６】
ハードディスク装置１１０は、ハードディスクドライブ（Hard Disc Drive）１１０ａ及びハードディスク１１０ｂを備え、ハードディスクドライブ１１０ａは、ＣＰＵ１０１の指示により、ハードディスク１１０ｂに対してデータの記録及び再生を行なう。
【００３７】
ＤＶＤドライブ装置１１２は、ＣＰＵ１０１の指示により、ＤＶＤに対してデータの記録及び再生を行なう。
【００３８】
ＤＶＤドライブ装置１１２にセットされるＤＶＤ（ＤＶＤ１５とする）の記録面にはスパイラル状のトラックが記録領域として形成されており、この記録領域は、一例として図２に示されるように、内周側から外周側に向かって、リードイン領域（Lead-in Zone）とデータ領域（Data Zone）とリードアウト領域（Lead-out Zone）とに分けられている。なお、本実施形態では、追記型の光ディスクであるＤＶＤ＋ＲがＤＶＤ１５として用いられるものとする。
【００３９】
コンテンツは、データ領域に記録される。そして、コンテンツに続く領域には、コンテンツ管理テーブルが記録されている（図３参照）。このコンテンツ管理テーブルは、管理番号、タイトル、チャンネル、開始日時、終了日時、録画画質、位置情報、コンテンツ種類及び状態を含む項目を有している。また、コンテンツ管理テーブルは、コンテンツが新たに記録されたり、状態が変化すると更新される。
【００４０】
ＤＶＤ１５に、一例として図３に示されるように、３つのコンテンツ（コンテンツ１〜コンテンツ３）が記録されている場合には、コンテンツ３に続く領域に記録されているコンテンツ管理テーブルが最新のコンテンツ管理テーブルである（図４参照）。
【００４１】
ここでは、コンテンツ１は、タイトルが「ニュース」、チャンネルが「地上Ａの２ｃｈ」、開始日時が「２００３年１月２４日１０時」、終了日時が「２００３年１月２４日１１時」、録画画質が「ＬＰ」、位置情報が「００４０００ｈ〜０１Ｆ０００ｈ」、コンテンツ種類が「Copy Free」、状態が「存在」である。コンテンツ２は、タイトルが「ゴールデンアワー」、チャンネルが「地上Ａの５ｃｈ」、開始日時が「２００３年１月２５日１９時」、終了日時が「２００３年１月２５日２１時」、録画画質が「ＳＰ」、位置情報が「０２００００ｈ〜０ＦＦ０００ｈ」、コンテンツ種類が「Copy Once」、状態が「存在」である。コンテンツ３は、タイトルが「連続ドラマ」、チャンネルが「衛星Ｂの１３ｃｈ」、開始日時が「２００３年１月２６日７時」、終了日時が「２００３年１月２６日７時４０分」、録画画質が「ＳＰ」、位置情報が「１０００００ｈ〜１７Ｆ０００ｈ」、コンテンツ種類が「Copy Once」、状態が「存在」である。
【００４２】
タイトル及び録画画質はユーザにより設定される。録画画質「ＬＰ」は「Long Play」を意味し、「ＳＰ」は「Standard Play」を意味し、「ＨＱ」は「High Quality」を意味している。コンテンツ種類は、コンテンツに付加されている情報から判断される。「Copy Free」は自由に複製を作ることが許可されたコンテンツであることを示し、「Copy Once」は１つの複製の存在のみが許可されたコンテンツであることを示し、「Copy Never」は複製を作ることが禁止（すなわち録画禁止）されたコンテンツであることを示している。
【００４３】
状態が「存在」であることは、そのコンテンツがＤＶＤ１５に記録されており、再生可能であることを示している。ＤＶＤ１５の内容を一覧表示するときには、状態が「存在」であるコンテンツのみが表示される。
【００４４】
そして、ＤＶＤ１５に、一例として図５に示されるように、新たなコンテンツ（コンテンツ４とする）が記録されると、一例として図６に示されるように更新されたコンテンツ管理テーブルがコンテンツ４に続く領域に記録される。ここでは、管理番号４に、タイトルが「深夜の映画」、チャンネルが「衛星Ｂの１１ｃｈ」、開始日時が「２００３年２月１日２３時５０分」、終了日時が「２００３年２月２日１時３０分」、録画画質が「ＨＱ」、位置情報が「１８００００ｈ〜２２Ｆ０００ｈ」、コンテンツ種類が「Copy Free」、状態が「存在」というコンテンツ４に関する情報が追加されている。
【００４５】
ここで、前述したＤＶＤレコーダ１００を用いて、ＤＶＤ１５に記録されているコンテンツを、光ディスク以外の情報記録媒体としてのハードディスク１１０ｂに移動するときの処理、動作について説明する。ここでは、一例として、コンテンツ３をＤＶＤ１５からハードディスク１１０ｂに移動するものとする。
【００４６】
ユーザがディスプレイ２００に一覧表示されているコンテンツの中から「連続ドラマ」を指定して移動要求を赤外線リモコンを介して入力すると、フラッシュＲＯＭ１０４に格納されているプログラムのうち、図７に示されるフローチャートに対応するプログラム（以下「移動処理プログラム」という）の先頭アドレスがＣＰＵ１０１のプログラムカウンタにセットされ、移動処理がスタートする。図７のフローチャートは、ＣＰＵ１０１によって実行される一連の処理アルゴリズムに対応している。なお、ＤＶＤ１５における最新のコンテンツ管理テーブルはＤＶＤドライブ装置１１２を介してすでに読み出されて、ＤＲＡＭ１０３に格納されているものとする。
【００４７】
最初のステップ４０１では、ＤＲＡＭ１０３に格納されているコンテンツ管理テーブルの位置情報を参照し、指定された移動対象のコンテンツ（以下「対象コンテンツ」ともいう）の大きさ（データ量）を取得する。ここでは、管理番号３のコンテンツの大きさが取得される。
【００４８】
次のステップ４０３では、ハードディスクドライブ１１０ａを介して移動先となるハードディスク１１０ｂの空き容量を取得し、対象コンテンツの大きさ以上の空き容量があるか否かを判断する。対象コンテンツの大きさ以上の空き容量があれば、ここでの判断は肯定され、ステップ４０５に移行する。
【００４９】
このステップ４０５では、対象コンテンツの最初の１単位分のデータを移動対象データとする。ここでは、１ＥＣＣブロックのデータを１単位分のデータとする。
【００５０】
次のステップ４０７では、移動対象データをＤＶＤドライブ装置１１２を介してＤＶＤ１５から読み出す。ここでは、対象コンテンツは、その属性が「Copy Once」であるため、公知の方法で復号化、及びハードディスク１１０ｂに応じた暗号化を行ない、ハードディスクドライブ１１０ａを介してハードディスク１１０ｂに書き込む。
【００５１】
次のステップ４０９では、ハードディスクドライブ１１０ａを介して上記ステップ４０７でのハードディスク１１０ｂにおける書込み領域を再生し、その再生データと移動対象データとを比較する。
【００５２】
次のステップ４１１では、再生データと移動対象データとが一致しているか否かを判断する。再生データと移動対象データとが一致していれば、ここでの判断は肯定され、ステップ４１５に移行する。
【００５３】
このステップ４１５では、ＤＶＤ１５における移動対象データが再生不可能となるようにＤＶＤドライブ装置１１２に指示する。具体的には、ＤＶＤ１５における移動対象データが記録されている領域に所定のデータを上書き（オーバーライト）させる。これにより、一例として図８に示されるように、その領域のデータは破壊されることとなる。
【００５４】
次のステップ４１７では、対象コンテンツの全データの移動が完了したか否かを判断する。これは、対象コンテンツのＥＣＣブロック数と、移動したＥＣＣブロック数とを比較することにより、容易に判断できる。移動が完了していなければ、ここでの判断は否定され、ステップ４１９に移行する。
【００５５】
このステップ４１９では、対象コンテンツの次の１単位分のデータを移動対象データとする。そして、前記ステップ４０７に戻る。
【００５６】
以下、ステップ４１１での判断が否定されるか、あるいはステップ４１７での判断が肯定されるまで、ステップ４０７〜４１９の処理、判断を繰り返す。すなわち、１ＥＣＣブロック単位でのデータ移動が継続される。
【００５７】
対象コンテンツの全データの移動が完了すると、ステップ４１７での判断は肯定され、ステップ４２１に移行する。
【００５８】
このステップ４２１では、ＤＶＤドライブ装置１１２を介してＤＶＤ１５の対象コンテンツを再生する。
【００５９】
次のステップ４２３では、再生エラーであるか否かを判断する。再生エラーであれば、ここでの判断は肯定され、ステップ４２７に移行する。
【００６０】
このステップ４２７では、コンテンツ管理テーブルを更新し、ＤＶＤドライブ装置１１２を介してＤＶＤ１５に書き込む。ここでは、一例として図９に示されるように、コンテンツ３が上書きされたことを示す情報として、管理番号３の状態が「破壊」になっている。そして、この更新されたコンテンツ管理テーブルは、一例として図１０に示されるように、コンテンツ４に続く領域に記録されているコンテンツ管理テーブルに続く領域に書き込まれる。すなわち、最も外周側にあるコンテンツ管理テーブルが最新のコンテンツ管理テーブルとなる。
【００６１】
次のステップ４２９では、ディスプレイ２００に移動が完了したことを示すメッセージを表示させる。そして、移動処理を終了する。
【００６２】
なお、上記ステップ４２３において、再生エラーでなければ、ステップ４２３での判断は否定され、ステップ４２５に移行する。このステップ４２５では、ＤＶＤ１５における対象コンテンツが再生不可能となるようにＤＶＤドライブ装置１１２に指示する。具体的には、ＤＶＤ１５における対象コンテンツが記録されている領域に所定のデータを上書き（オーバーライト）させる。そして、ステップ４２７に移行する。
【００６３】
また、上記ステップ４１１において、再生データと移動対象データとが一致していなければ、ステップ４１１での判断は否定され、ステップ４３１に移行する。このステップ４３１では、ハードディスク１１０ｂに移動されたデータが再生不可能となるようにハードディスクドライブ１１０ａに指示する。具体的には、ハードディスク１１０ｂに移動されたデータをハードディスク１１０ｂから削除させる。そして、次のステップ４３３では、ディスプレイ２００に移動が失敗したことを示すメッセージを表示させる。そして、移動処理を終了する。
【００６４】
さらに、前記ステップ４０３において、ハードディスク１１０ｂに対象コンテンツの大きさ以上の空き容量がなければ、ステップ４０３での判断は否定され、ステップ４３５に移行する。このステップ４３５では、ディスプレイ２００に移動が不可能であることを示すメッセージを表示させる。そして、移動処理を終了する。
【００６５】
以上の説明から明らかなように、本実施形態に係るＤＶＤレコーダ１００では、ＣＰＵ１０１及び該ＣＰＵ１０１によって実行されるプログラムとによって、処理装置が実現されている。
【００６６】
また、本実施形態では、フラッシュＲＯＭ１０４に格納されているプログラムのうち、前記移動処理プログラムにおいて、本発明に係るプログラムが実行されている。
【００６７】
以上説明したように、本実施形態に係るＤＶＤレコーダ１００によると、ＤＶＤ１５（追記型の光ディスク）に記録されている対象コンテンツを大きさが１ＥＣＣブロックの複数のブロックに分割し、ブロック単位でハードディスク１１０ｂ（光ディスク以外の情報記録媒体）に書き込むとともに、１ブロックの書込みが終了する度に、ハードディスク１１０ｂに書き込まれたブロックに対応するＤＶＤ１５の記録領域を上書きする。これにより、ＤＶＤ１５に記録されている対象コンテンツは消去されるため、対象コンテンツは、ＤＶＤ１５からハードディスク１１０ｂに移動されたこととなる。すなわち、対象コンテンツがコピーワンス・コンテンツであっても、その規約に反することなく、ＤＶＤ１５からハードディスク１１０ｂに移動することができる。従って、不正コピーを伴うことなく追記型の光ディスクに記録されているコンテンツを光ディスク以外の情報記録媒体に移動することが可能となる。
【００６８】
また、本実施形態によると、対象コンテンツの移動が終了すると、ＤＶＤ１５における対象コンテンツが記録されていた領域を再生し、再生エラーでない場合に、その領域を再度上書きしている。これにより、ＤＶＤ１５における対象コンテンツの削除を確実なものとすることができる。
【００６９】
なお、上記実施形態では、移動処理において対象コンテンツを１ＥＣＣブロック単位で移動する場合について説明したが、これに限らず、複数のＥＣＣブロックのデータを１単位分のデータとしても良い。
【００７０】
《移動処理の変形例》
また、移動処理において対象コンテンツを一括して移動しても良い。このときのＣＰＵ１０１の処理、動作について図１１のフローチャートを用いて説明する。
【００７１】
最初のステップ５０１では、前記ステップ４０１での処理と同様な処理を行う。
【００７２】
次のステップ５０３では、前記ステップ４０３での処理と同様にして、移動先のハードディスク１１０ｂに対象コンテンツの大きさ以上の空き容量があるか否かを判断する。対象コンテンツの大きさ以上の空き容量があれば、ここでの判断は肯定され、ステップ５０５に移行する。
【００７３】
このステップ５０５では、対象コンテンツの全データをＤＶＤドライブ装置１１２を介してＤＶＤ１５から読み出し、ハードディスクドライブ１１０ａを介してハードディスク１１０ｂに書き込む。
【００７４】
次のステップ５０９では、ハードディスクドライブ１１０ａを介して上記ステップ５０５でのハードディスク１１０ｂの書込み領域を再生し、その再生データと対象コンテンツのデータとを比較する。
【００７５】
次のステップ５１１では、再生データと対象コンテンツのデータとが一致しているか否かを判断する。再生データと対象コンテンツのデータとが一致していれば、ここでの判断は肯定され、ステップ５１５に移行する。
【００７６】
このステップ５１５では、ＤＶＤ１５における対象コンテンツが再生不可能となるようにＤＶＤドライブ装置１１２に指示する。具体的には、ＤＶＤ１５における対象コンテンツが記録されている領域に所定のデータを上書き（オーバーライト）させる。この場合には、対象コンテンツが記録されている領域の全部が上書きされても良いが、領域の一部が上書きされても良い。要するに、対象コンテンツが再生不可能となれば良い。
【００７７】
次のステップ５２７では、前記ステップ４２７での処理と同様に、コンテンツ管理テーブルを更新し、ＤＶＤドライブ装置１１２を介してＤＶＤ１５に書き込む。
【００７８】
次のステップ５２９では、ディスプレイ２００に移動が完了したことを示すメッセージを表示させる。そして、移動処理を終了する。
【００７９】
なお、上記ステップ５１１において、再生データと対象コンテンツのデータとが一致していなければ、ステップ５１１での判断は否定され、ステップ５３１に移行する。このステップ５３１では、前記ステップ４３１での処理と同様に、ハードディスク１１０ｂに移動されたデータが再生不可能となるようにハードディスクドライブ１１０ａに指示する。そして、次のステップ５３３では、ディスプレイ２００に移動が失敗したことを示すメッセージを表示させる。そして、移動処理を終了する。
【００８０】
さらに、前記ステップ５０３において、移動先のハードディスク１１０ｂに対象コンテンツの大きさ以上の空き容量がなければ、ステップ５０３での判断は否定され、ステップ５３５に移行する。このステップ５３５では、ディスプレイ２００に移動が不可能であることを示すメッセージを表示させる。そして、移動処理を終了する。
【００８１】
これにより、移動処理に要する時間を短縮することができる。なお、この場合には、一時的に対象コンテンツの複製が２つ存在することになるが、直ちに一方が再生不可能とされ、ユーザに２つの対象コンテンツが提供されることはない。
【００８２】
また、この場合において、ＤＶＤ１５における対象コンテンツを再生不可能とする際に、対象コンテンツが記録されている領域に所定のデータを上書きしているが、対象コンテンツの実体を削除せずに、対象コンテンツが削除されたこと示すコンテンツ情報をＤＶＤ１５に記録することにより、対象コンテンツの再生を不可能としても良い。すなわち、コンテンツ管理テーブルの状態のみを書き換えて、再生不可能としても良い。これにより、移動処理を更に短時間で行うことが可能となる。
【００８３】
この場合に、例えば図１２に示されるように、データを破壊（上書き）した場合と区別するために、コンテンツ管理テーブルの状態を「削除」としても良い。これにより、その後、対象コンテンツのＤＶＤ１５へ記録要求（復活要求）がなされると、図１３に示されるように、復活したことを示すコンテンツ情報として、状態のみを「存在」に書き換えれば良いため、短時間で処理することが可能となる。なお、「削除」では、対象コンテンツ自体はＤＶＤ１５に残ることとなるため、「削除」が可能であるか否かの情報をコンテンツの提供者がコンテンツに含ませても良い。
【００８４】
また、上記実施形態において、ファイルシステムを利用しても良い。この場合には、一例として図１４に示されるように、コンテンツ管理テーブルとともにファイルシステムデータも更新されることとなる。すなわち、コンテンツが移動されると、そのコンテンツに関するファイル情報をファイルシステムデータから削除する。これにより、コンテンツ管理テーブルに対応していないＤＶＤドライブ装置でもＤＶＤ１５に対するアクセスを正常に行なうことができる。
【００８５】
また、上記実施形態では、情報記録装置がＤＶＤレコーダの場合について説明したが、これに限らず、例えば、ＤＶＤドライブ装置及びハードディスクドライブを備えたパーソナルコンピュータ（パソコン）であっても良い。この場合に、ＤＶＤドライブ装置及びハードディスクドライブはパソコンに内蔵されていても良いし、外付けされていても良い。
【００８６】
また、上記実施形態では、光ディスクがＤＶＤ＋Ｒの場合について説明したが、本発明がこれに限定されるものではなく、例えばＤＶＤ−Ｒ、ＣＤ−Ｒ、あるいは約４０５ｎｍの波長の光に対応した次世代の光ディスクであっても良い。
【００８７】
また、上記実施形態では、コンテンツの移動先となる情報記録媒体がハードディスクの場合について説明したが、これに限定されるものではない。例えば、メモリカードやＵＳＢメモリであっても良い。要するに光ディスク以外であれば良い。
【００８８】
また、上記実施形態では、本発明に係るプログラムは、フラッシュＲＯＭ１０４に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュＲＯＭ１０４にロードすることとなる。また、ネットワーク（ＬＡＮ、イントラネット、インターネットなど）を介して本発明に係るプログラムをフラッシュＲＯＭ１０４に転送しても良い。要するに、本発明に係るプログラムがフラッシュＲＯＭ１０４に格納されていれば良い。
【図面の簡単な説明】
【００８９】
【図１】本発明の一実施形態に係るＤＶＤレコーダの概略構成を示すブロック図である。
【図２】ＤＶＤの記録領域のレイアウトを説明するための図である。
【図３】ＤＶＤに記録されているコンテンツ及びコンテンツ管理テーブルの位置を説明するための図である。
【図４】図３における最新のコンテンツ管理テーブルの内容を説明するための図である。
【図５】図３に新たなコンテンツが記録された場合を説明するための図である。
【図６】図５における最新のコンテンツ管理テーブルの内容を説明するための図である。
【図７】図１のＤＶＤレコーダにおけるコンテンツの移動処理を説明するためのフローチャートである。
【図８】上書きを説明するための図である。
【図９】図７の移動処理後の最新のコンテンツ管理テーブルの内容を説明するための図である。
【図１０】図７の移動処理後のＤＶＤのデータ領域を説明するための図である。
【図１１】図１のＤＶＤレコーダにおけるコンテンツの移動処理の変形例を説明するためのフローチャートである。
【図１２】コンテンツの実体を破壊せずに再生不可能とするときのコンテンツ管理テーブルの内容を説明するための図である。
【図１３】図１２の状態からコンテンツを復活させたときのコンテンツ管理テーブルの内容を説明するための図である。
【図１４】ファイルシステムを利用したときのデータ領域を説明するための図である。
【符号の説明】
【００９０】
１５…ＤＶＤ（光ディスク）、１００…ＤＶＤレコーダ（情報記録装置）、１０１…ＣＰＵ（処理装置）、１０４…フラッシュＲＯＭ（記録媒体）、１１０ｂ…ハードディスク（情報記録媒体）、１１２…ＤＶＤドライブ装置（光ディスク装置）。
【図１】
2005339600.tif 000003
【図２】
2005339600.tif 000004
【図３】
2005339600.tif 000005
【図４】
2005339600.tif 000006
【図５】
2005339600.tif 000007
【図６】
2005339600.tif 000008
【図７】
2005339600.tif 000009
【図８】
2005339600.tif 000010
【図９】
2005339600.tif 000011
【図１０】
2005339600.tif 000012
【図１１】
2005339600.tif 000013
【図１２】
2005339600.tif 000014
【図１３】
2005339600.tif 000015
【図１４】
2005339600.tif 000016